(57)【要約】【課題】撮像部と液晶表示パネルとを一体化させた液晶表示装置において、良好な画像を取得することができる制御方法を提供する。【解決手段】画像を取得する撮像部と、画像を表示する液晶表示パネルと、液晶表示パネルに光を照射するＬＥＤ２と、ＬＥＤ２の出力を制御する制御部３０と、を備え、撮像部は、少なくとも撮像素子５とレンズ３とにより構成され、液晶表示パネルは、液晶が挟まれた一対の透明基板１及び６を備え、撮像素子５とレンズ３とは、一対の透明基板１及び６のうちの少なくとも一方を挟んで配置されている液晶表示装置の制御方法において、制御部３０は、撮像部が画像を取得している画像取得状態か否かの認識、および液晶表示パネルが画像を表示している画像表示状態か否かの認識を行ない、画像取得状態のときにおけるＬＥＤ２の出力を、画像表示状態のときにおける当該出力より小さく制御する。【選択図】図１
2010259016.tif 000002
【特許請求の範囲】
【請求項１】
画像を取得する撮像部と、
上記画像を表示する液晶表示パネルと、
上記液晶表示パネルに光を照射する光源と、
上記光源の出力を制御する出力制御手段と、を備え、
上記撮像部は、少なくとも撮像素子とレンズとにより構成され、
上記液晶表示パネルは、液晶が挟まれた一対の透明基板を備え、
上記撮像素子と上記レンズとは、上記一対の透明基板のうちの少なくとも一方を挟んで配置されている液晶表示装置の制御方法において、
上記出力制御手段は、上記撮像部が画像を取得している画像取得状態か否かの認識、および上記液晶表示パネルが画像を表示している画像表示状態か否かの認識を行ない、上記画像取得状態のときにおける上記光源の出力を、上記画像表示状態のときにおける当該出力より小さく制御することを特徴とする液晶表示装置の制御方法。
【請求項２】
上記出力制御手段が、上記画像取得状態のときに、上記出力を０に制御することを特徴とする請求項１に記載の制御方法。
【請求項３】
上記液晶表示装置が、上記液晶表示パネルの画素部の開口率を制御する開口率制御手段を備え、
上記開口率制御手段は、上記画像取得状態のときにおける上記開口率を、上記画像表示状態のときにおける当該開口率より小さく制御することを特徴とする請求項１又は２に記載の制御方法。
【請求項４】
上記開口率制御手段が、上記画像取得状態のときにおける上記開口率を０％に制御することを特徴とする請求項３に記載の制御方法。
【請求項５】
請求項１に記載の液晶表示装置において、複数の画像により構成される動画を取得する際の制御方法であって、
上記出力制御手段は、上記撮像部が動画を構成する各々の画像を取得している動画構成画像取得状態か否かの認識、及び上記液晶表示パネルが当該各々の画像を表示している動画構成画像表示状態か否かの認識を行ない、上記動画構成画像取得状態のときにおける上記光源の出力を、上記動画構成画像表示状態のときにおける当該出力より小さく制御することを特徴とする液晶表示装置の制御方法。
【請求項６】
上記出力制御手段が、上記動画構成画像取得状態のときにおける上記出力を０に制御することを特徴とする請求項５に記載の制御方法。
【請求項７】
上記液晶表示装置が、上記液晶表示パネルの画素部の開口率を制御する開口率制御手段を備え、
上記開口率制御手段が、上記動画構成画像取得状態のときにおける上記開口率を、上記動画構成画像表示状態のときにおける当該開口率より小さく制御することを特徴とする請求項５又は６に記載の制御方法。
【請求項８】
上記開口率制御手段が、上記動画構成画像取得状態のときにおける上記開口率を０％に制御することを特徴とする請求項７に記載の制御方法。
【請求項９】
上記液晶表示装置が、上記撮像部により取得された画像を上記液晶表示パネルにより表示させるタイミングを制御するタイミング制御手段を備え、
上記タイミング制御手段は、取得された画像が、当該画像より後に取得される少なくとも１つの他の画像が取得された後に表示されるように制御することを特徴とする請求項５〜８の何れか１項に記載の制御方法。
【請求項１０】
上記液晶表示装置が、上記撮像部による画像の取得時間、及び上記液晶表示パネルによる画像の表示時間を制御する画像取得表示時間制御手段を備え、
上記画像取得表示時間制御手段が、上記表示時間を、上記取得時間より長く制御することを特徴とする請求項５〜９の何れか１項に記載の制御方法。
【請求項１１】
上記液晶表示装置が、上記撮像部による画像の取得時間を制御するものであり、かつ、周囲が明るい状態か暗い状態かを認識する画像取得時間制御手段を備え、
上記画像取得時間制御手段が、周囲が暗い状態のときにおける上記取得時間を、周囲が明るい状態のときにおける上記取得時間より長く制御することを特徴とする請求項５〜９の何れか１項に記載の制御方法。
【請求項１２】
上記液晶表示装置が、上記液晶表示パネルによる画像の表示時間を制御するものであり、かつ、周囲が明るい状態か暗い状態かを認識する画像表示時間制御手段を備え、
上記画像表示時間制御手段が、周囲が暗い状態のときにおける上記表示時間を、周囲が明るい状態のときにおける上記表示時間より長く制御することを特徴とする請求項５〜９の何れか１項に記載の制御方法。
【請求項１３】
上記出力制御手段が、被写体への光の照度が低い状態か高い状態かを認識するものであり、
上記動画構成画像取得状態であって、被写体への光の照度が低い状態のときにおける上記出力を、上記動画構成画像取得状態であって、被写体への光の照度が高い状態のときにおける当該出力より小さく制御することを特徴とする請求項５に記載の制御方法。
【請求項１４】
上記開口率制御手段が、上記画素部に照射される外光が明るい状態か暗い状態かを認識するものであり、
上記動画構成画像取得状態であって、上記画素部に照射される外光が明るい状態のときにおける上記開口率を、上記動画構成画像取得状態であって、上記画素部に照射される外光が暗い状態のときにおける当該開口率より小さく制御することを特徴とする請求項７に記載の制御方法。
【請求項１５】
上記液晶表示装置が、上記撮像部により取得された画像を上記液晶表示パネルにより表示させる回数を制御する画像表示回数制御手段を備え、
上記画像表示回数制御手段が、取得された画像が２回以上表示されるように制御することを特徴とする請求項５〜１４の何れか１項に記載の制御方法。
【請求項１６】
画像を取得する撮像部と、
上記画像を表示する液晶表示パネルと、
上記液晶表示パネルに光を照射する光源と、
上記光源の出力を制御する出力制御手段と、を備え、
上記撮像部は、少なくとも撮像素子とレンズとにより構成され、
上記液晶表示パネルは、液晶が挟まれた一対の透明基板を備え、
上記撮像素子と上記レンズとは、上記一対の透明基板のうちの少なくとも一方を挟んで配置されている液晶表示装置であって、
上記出力制御手段が、上記撮像部により画像を取得している状態を表す画像取得状態か否かの認識及び上記液晶表示パネルにより画像を表示している状態を表す画像表示状態か否かの認識を行ない、上記画像取得状態のときにおける上記光源の出力を、上記画像表示状態のときにおける当該出力より小さく制御するものであることを特徴とする液晶表示装置。
【発明の詳細な説明】
【技術分野】
【０００１】
本発明は、撮像機能を備えた液晶表示装置に関するものである。
【背景技術】
【０００２】
近年、携帯電話などの携帯機器には撮像装置を具備するものが多い。携帯機器に具備された撮像装置は、主に撮像素子、レンズ、ＩＲカットフィルター（撮像素子とレンズとの間、またはレンズより被写体側に位置する）、デジタルシグナルプロセッサー（ＤＳＰ）等からなるカメラモジュールとして構成される。このような撮像装置は、風景または人物等の静止画の撮像を行なったり、動画の撮像を行ったり、マトリックス型二次元コードを読み取り、インターネット上のホームページアドレス等の情報を認識することにより、アドレス等を直接入力する手間を省くために用いられたり、動画モードで被写体の動きを認識することによって加速度センサーとしてゲーム等に利用されたりするなど、様々な用途に用いられている。
【０００３】
また、携帯機器には、通常、表示装置が備えられている。携帯機器における表示装置としては、液晶表示装置が多く用いられる。液晶表示装置は、主に一対のガラス基板の間に液晶が注入され封止された液晶表示パネルと、このパネルを駆動制御する半導体装置と、バックライトと、このバックライトの光を液晶パネルに均一に照射するための導光体（反射板）と、等からなる液晶モジュールとして構成される。
【０００４】
上述した携帯機器のように撮像装置と表示装置とを備えた機器においては、表示装置は、撮像装置により撮像された風景、人物等の画像を表示したり、文字を表示したりする等という用途に活用される。また、表示装置のなかには、タッチパネル機能等をさらに備え、操作する等の用途に活用されるものもある。さらに、近年における表示装置は、バックライトに高輝度ＬＥＤ等を用いて、太陽光の下でも鮮明に表示できるように構成されたものも多くなっている。
【０００５】
撮像装置と表示装置とを備えた機器の製造において、撮像装置としてのカメラモジュール等と、表示装置としての液晶モジュール等とを個別に作製し、それぞれを機器の筐体に組み込む場合には、工程数、部品の数等が多く、製造コストが高くなるとともに、機器が大きくなってしまう。このような問題に対し、特許文献１には、カメラが液晶表示パネルに取り付けられている液晶表示装置が開示されている。
【先行技術文献】
【特許文献】
【０００６】
【特許文献１】特開２００３−１９８９９０号公報（２００３年７月１１日公開）
【発明の概要】
【発明が解決しようとする課題】
【０００７】
上記特許文献１には、カメラの固体撮像素子とレンズとが、液晶表示パネルを構成する透明基板を挟んで向かい合っている液晶表示装置が記載されている。これにより、カメラと液晶表示パネルとを一体化させ、液晶表示装置を小型化させるという目的を果たすものである。
【０００８】
しかし、このような液晶表示装置においては、撮像素子とレンズとの間に液晶表示パネルの透明基板が挟まれているため、撮像素子に対して遮光することができない。したがって、液晶表示パネルに照射されるバックライトの光及び外光等が、透明基板を通じて撮像素子の受光面に入り込んでしまうおそれが高い。このような状態で撮像された画像は、全体が白っぽくなってしまうという問題が生じる。また、液晶表示パネルの透明基板を通じて、撮像素子の受光面に強烈なバックライト光が入り込んだ場合には、液晶表示パネルに付着したゴミ、油膜等で乱反射を起こして大きく明るく光ってしまい、たとえ微小なゴミであっても、撮像される画像に写り込んでしまう可能性が高く、良好な画像が得られないという問題が生じる。
【０００９】
本発明は、上述した問題に鑑みてなされたものであり、撮像部と液晶表示パネルとを一体化させた液晶表示装置において、良好な画像を取得することができる制御方法を提供することを目的とする。
【課題を解決するための手段】
【００１０】
上記の課題を解決するために、本発明に係る制御方法は、画像を取得する撮像部と、上記画像を表示する液晶表示パネルと、上記液晶表示パネルに光を照射する光源と、上記光源の出力を制御する出力制御手段と、を備え、上記撮像部は、少なくとも撮像素子とレンズとにより構成され、上記液晶表示パネルは、液晶が挟まれた一対の透明基板を備え、上記撮像素子と上記レンズとは、上記一対の透明基板のうちの少なくとも一方を挟んで配置されている液晶表示装置の制御方法において、上記出力制御手段は、上記撮像部が画像を取得している画像取得状態か否かの認識、および上記液晶表示パネルが画像を表示している画像表示状態か否かの認識を行ない、上記画像取得状態のときにおける上記光源の出力を、上記画像表示状態のときにおける当該出力より小さく制御することを特徴とする。
【００１１】
上記の構成であれば、撮像部が画像を取得しているときには光源の出力を小さくすることができるので、撮像素子の受光面に入り込む光源由来の光の量を低減させることができる。したがって、撮像される画像が白くなったり、液晶表示パネルにおけるゴミ、油膜等による乱反射光が画像に写り込んだりすることを抑制することができるので、良好な画像を取得することができる。また、液晶表示パネルが画像を表示しているときには、光源の出力を十分に大きくすることができるので、画像を良好に表示することができる。
【００１２】
また、本発明に係る制御方法では、上記出力制御手段が、上記画像取得状態のときに、上記出力を０に制御することが好ましい。
【００１３】
上記の構成であれば、撮像部が画像を取得しているときに撮像素子の受光面に入る光源由来の光をなくすことができるので、より良好な画像を取得することができる。
【００１４】
また、本発明に係る制御方法では、上記液晶表示装置が、上記液晶表示パネルの画素部の開口率を制御する開口率制御手段を備え、上記開口率制御手段は、上記画像取得状態のときにおける上記開口率を、上記画像表示状態のときにおける当該開口率より小さく制御することが好ましい。
【００１５】
上記の構成であれば、撮像部が画像を取得しているときには、液晶表示パネルの画素部の開口率を小さくすることができるので、例えば日光の下などで使用した場合など、強い外光が画素部に照射される場合にも、液晶表示パネルに照射される外光の量を低減させることができる。したがって、撮像素子の受光面に入る外光の量を低減させることができるので、より良好な画像を取得することができる。また、液晶表示パネルが画像を表示している時には、画素部の開口率を十分に大きくすることができるので、画像をより良好に表示することができる。
【００１６】
また、本発明に係る制御方法では、上記開口率制御手段が、上記画像取得状態のときにおける上記開口率を０％に制御することが好ましい。
【００１７】
上記の構成であれば、撮像部が画像を取得するときに撮像素子の受光面に入る外光をなくすことができるので、より良好な画像を取得することができる。
【００１８】
本発明に係る制御方法は、上述した液晶表示装置において、複数の画像により構成される動画を取得する際の制御方法であって、上記出力制御手段は、上記撮像部が動画を構成する各々の画像を取得している動画構成画像取得状態か否かの認識、及び上記液晶表示パネルが当該各々の画像を表示している動画構成画像表示状態か否かの認識を行ない、上記動画構成画像取得状態のときにおける上記光源の出力を、上記動画構成画像表示状態のときにおける当該出力より小さく制御することを特徴とする。
【００１９】
上記の構成であれば、撮像部が動画を構成する各々の画像を取得しているときには光源の出力を小さくすることができるので、撮像素子の受光面に入り込む光源由来の光の量を低減させることができる。よって、撮像される画像が白くなったり、液晶表示パネルにおけるゴミ、油膜等による乱反射光が画像に写りこんだりすることを抑制することができるので、良好な画像を取得することができる。また、液晶表示パネルが動画を構成する各々の画像を表示しているときには、光源の出力を十分に大きくすることができるので、画像を良好に表示することができる。したがって、動画を良好に取得し、表示することができる。
【００２０】
また、本発明に係る制御方法では、上記出力制御手段が、上記動画構成画像取得状態のときにおける上記出力を０に制御することが好ましい。
【００２１】
上記の構成であれば、撮像部が動画を構成する各々の画像を取得するときに撮像素子の受光面に入る光源由来の光をなくすことができるので、より良好な画像を取得することができる。したがって、動画をより良好に表示することができる。
【００２２】
また、本発明に係る制御方法では、上記液晶表示装置が、上記液晶表示パネルの画素部の開口率を制御する開口率制御手段を備え、上記開口率制御手段が、上記動画構成画像取得状態のときにおける上記開口率を、上記動画構成画像表示状態のときにおける当該開口率より小さく制御することが好ましい。
【００２３】
上記の構成であれば、撮像部が動画を構成する各々の画像を取得する時には、画素部の開口率を小さくすることができる。例えば日光の下などで使用した場合にも、画素部の開口部から入る外光の量を低減させることができる。よって、撮像素子の受光面に入り込む光を低減させることができるので、より良好な画像を取得することができる。また、液晶表示パネルが動画を構成する各々の画像を表示する時には、画素部の開口率を十分に大きくすることができるので、画像をより良好に表示することができる。したがって、動画をより良好に表示することができる。
【００２４】
また、本発明に係る制御方法では、上記開口率制御手段が、上記動画構成画像取得状態のときにおける上記開口率を０％に制御することが好ましい。
【００２５】
上記の構成であれば、撮像部が動画を構成する各々の画像を取得しているときに撮像素子の受光面に入る外光をなくすことができるので、より良好な画像を取得することができる。したがって、動画をより良好に表示することができる。
【００２６】
また、本発明に係る制御方法では、上記液晶表示装置が、上記撮像部により取得された画像を上記液晶表示パネルにより表示させるタイミングを制御するタイミング制御手段を備え、上記タイミング制御手段は、取得された画像が、当該画像より後に取得される少なくとも１つの他の画像が取得された後に表示されるように制御することが好ましい。
【００２７】
上記の構成であれば、取得された画像がすぐには表示されず、少なくとも１つの他の画像が取得された後に表示されるので、ある程度時間が経ってから表示されることとなるため、データ容量が多い画像、例えば画素数の多い精細な画像等であっても、画像が転送される時間が十分確保される。これにより、画像転送に時間を要したとしても、単位時間当たりの表示回数が減ることがなく、コマ送りのような動画となるのを抑制することができる。したがって、動画を、違和感がないように表示することができる。
【００２８】
また、本発明に係る制御方法では、上記液晶表示装置が、上記撮像部による画像の取得時間、及び上記液晶表示パネルによる画像の表示時間を制御する画像取得表示時間制御手段を備え、上記画像取得表示時間制御手段が、上記表示時間を、上記取得時間より長く制御することが好ましい。
【００２９】
上記の構成であれば、画像の表示時間が取得時間よりも長くなるので、画像を確実に表示することができるため、動画のちらつきを低減させることができる。
【００３０】
また、本発明に係る制御方法では、上記液晶表示装置が、上記撮像部による画像の取得時間を制御するものであり、かつ、周囲が明るい状態か暗い状態かを認識する画像取得時間制御手段を備え、上記画像取得時間制御手段が、周囲が暗い状態のときにおける上記取得時間を、周囲が明るい状態のときにおける上記取得時間より長く制御することが好ましい。
【００３１】
上記の構成であれば、周囲が暗い状態のときにおける画像の取得時間を長く制御することにより、確実に画像を取得することができるとともに、周囲が明るい状態のときには、撮像素子５の受光面に入る外光の量を低減させることができる。したがって、動画を構成する各々の画像について、周囲が明るい状態か暗い状態かによって、取得時間を適切に調節することができるため、良好な画像を取得することができる。
【００３２】
また、本発明に係る制御方法では、上記液晶表示装置が、上記液晶表示パネルによる画像の表示時間を制御するものであり、かつ、周囲が明るい状態か暗い状態かを認識する画像表示時間制御手段を備え、上記画像表示時間制御手段が、周囲が暗い状態のときにおける上記表示時間を、周囲が明るい状態のときにおける上記表示時間より長く制御することが好ましい。
【００３３】
上記の構成であれば、周囲が暗い状態のときには画像の表示時間を長くすることにより、暗い画像であっても、目又は脳等に残像が残るように表示することができる。さらに、動画を構成する各々の画像について、周囲が明るい状態か暗い状態かによって、表示時間を適切に調節することができるため、画像を良好に表示することができる。これにより、動きが自然に感じられるように動画を表示することができる。
【００３４】
また、本発明に係る制御方法では、上記出力制御手段が、被写体への光の照度が低い状態か高い状態かを認識するものであり、上記動画構成画像取得状態であって、被写体への光の照度が低い状態のときにおける上記出力を、上記動画構成画像取得状態であって、被写体への光の照度が高い状態のときにおける当該出力より小さく制御することが好ましい。
【００３５】
上記の構成であれば、動画構成画像取得状態でありかつ被写体への光の照度が低い状態であるときに、光源の出力を小さくすることができるので、撮像素子の感度が高くなった場合でも、撮像素子の受光面に入る光源由来の光の量を低減させることができる。また、被写体への光の照度に応じて、光源の出力を制御することにより、撮像素子の受光面に入る光の量を適切に調節することができる。したがって、良好な画像を取得することができる。
【００３６】
また、本発明に係る制御方法では、上記開口率制御手段が、上記画素部に照射される外光が明るい状態か暗い状態かを認識するものであり、上記動画構成画像取得状態であって、上記画素部に照射される外光が明るい状態のときにおける上記開口率を、上記動画構成画像取得状態であって、上記画素部に照射される外光が暗い状態のときにおける当該開口率より小さく制御することが好ましい。
【００３７】
上記の構成であれば、動画構成画像取得状態であって、画素部に照射される外光が明るい状態のときには、画素部の開口率を小さくすることができるので、撮像素子の受光面に入り込む外光の量を低減させることができる。また、画素部に照射される外光の明るさに応じて、画素部の開口率を制御することにより、撮像素子の受光面に入る光の量を適切に調節することができる。したがって、良好な画像を取得することができる。
【００３８】
また、本発明に係る制御方法では、上記液晶表示装置が、上記撮像部により取得された画像を上記液晶表示パネルにより表示させる回数を制御する画像表示回数制御手段を備え、上記画像表示回数制御手段が、取得された画像が２回以上表示されるように制御することが好ましい。
【００３９】
上記の構成であれば、取得された画像が２回以上表示されることにより、画像のデータ容量が多く、撮像部から液晶表示パネルへの転送に時間がかかる場合にも、この画像を転送する間に、既に転送が終わっている画像を再表示することとなる。そのため、容量が大きい画像が転送されるまで画像が表示されない時間、いわゆる待ち時間が生じないので、動画のちらつきを抑えることができる。
【００４０】
本発明に係る液晶表示装置は、画像を取得する撮像部と、上記画像を表示する液晶表示パネルと、上記液晶表示パネルに光を照射する光源と、上記光源の出力を制御する出力制御手段と、を備え、上記撮像部は、少なくとも撮像素子とレンズとにより構成され、上記液晶表示パネルは、液晶が挟まれた一対の透明基板を備え、上記撮像素子と上記レンズとは、上記一対の透明基板のうちの少なくとも一方を挟んで配置されている液晶表示装置であって、上記出力制御手段が、上記撮像部により画像を取得している状態を表す画像取得状態か否かの認識及び上記液晶表示パネルにより画像を表示している状態を表す画像表示状態か否かの認識を行ない、上記画像取得状態のときにおける上記光源の出力を、上記画像表示状態のときにおける当該出力より小さく制御するものであることを特徴とする。
【００４１】
上記の構成であれば、出力制御手段を備えていることにより、撮像部が画像を取得するときには光源の出力を小さくすることができるので、撮像素子の受光面に入り込む光源由来の光の量を低減させることができる。したがって、撮像される画像が白くなったり、液晶表示パネルにおけるゴミ、油膜等による乱反射光が画像に写り込んだりすることを抑制することができるので、良好な画像を取得することができる。また、液晶表示パネルに画像を表示するときには、光源の出力を十分に大きくすることができるので、画像を良好に表示することができる。また、ゴミを混入させないための管理のレベルを高くする必要がないので、製造コストを低くすることができる。
【発明の効果】
【００４２】
本発明に係る制御方法は、以上のように、画像を取得する撮像部と、上記画像を表示する液晶表示パネルと、上記液晶表示パネルに光を照射する光源と、上記光源の出力を制御する出力制御手段と、を備え、上記撮像部は、少なくとも撮像素子とレンズとにより構成され、上記液晶表示パネルは、液晶が挟まれた一対の透明基板を備え、上記撮像素子と上記レンズとは、上記一対の透明基板のうちの少なくとも一方を挟んで配置されている液晶表示装置の制御方法において、上記出力制御手段は、上記撮像部が画像を取得している画像取得状態か否かの認識、および上記液晶表示パネルが画像を表示している画像表示状態か否かの認識を行ない、上記画像取得状態のときにおける上記光源の出力を、上記画像表示状態のときにおける当該出力より小さく制御するので、良好な画像を取得することができる。
【図面の簡単な説明】
【００４３】
【図１】本発明に係る液晶表示装置の一実施形態を示す図である。
【図２】第１実施形態における液晶表示ユニットを示す平面図である。
【図３】図２に示す液晶表示ユニットを側面から見た図である。
【図４】第２実施形態に係る液晶表示装置における液晶表示ユニットを側面から見た図である。
【図５】本発明に係る制御方法による制御パターンの一例を示す、時間（ｔ）と光源の出力（ｗ）との関係を表すグラフである。
【図６】本発明に係る制御方法による制御パターンの一例を示す、時間と光源の出力との関係を表すグラフである。
【図７】本発明に係る制御方法による制御パターンの一例を示す、時間（ｔ）と開口率（ｆ）との関係を表すグラフである。
【図８】本発明に係る制御方法による制御パターンの一例を示す、時間と開口率との関係を表すグラフである。
【図９】本発明に係る制御方法による制御パターンの一例を示す、時間と光源の出力との関係を表すグラフである。
【図１０】本発明に係る制御方法による制御パターンの一例を示す、時間と光源の出力との関係を表すグラフである。
【図１１】本発明に係る制御方法による制御パターンの一例を示す、時間と開口率との関係を表すグラフである。
【図１２】本発明に係る制御方法による制御パターンの一例を示す、時間と開口率との関係を表すグラフである。
【図１３】本発明に係る制御方法による制御パターンの一例を示す、時間と光源の出力との関係を表すグラフである。
【図１４】本発明に係る制御方法による制御パターンの一例を示す、時間と光源の出力との関係を表すグラフである。
【図１５】本発明に係る制御方法による制御パターンの一例を示す、時間と光源の出力との関係を表すグラフである。
【図１６】本発明に係る制御方法による制御パターンの一例を示す、時間と光源の出力との関係を表すグラフである。
【図１７】本発明に係る制御方法による制御パターンの一例を示す、時間と光源の出力との関係を表すグラフである。
【図１８】本発明に係る制御方法による制御パターンの一例を示す、時間と光源の出力との関係を表すグラフである。
【図１９】従来の制御方法における、時間と光源の出力との関係を表すグラフである。
【図２０】従来の制御方法における、時間と開口率との関係を表すグラフである。
【図２１】従来の制御方法における、時間と光源の出力との関係を表すグラフである。
【図２２】従来の制御方法における、時間と開口率との関係を表すグラフである。
【発明を実施するための形態】
【００４４】
〔第１実施形態〕
本発明に係る液晶表示装置の一実施形態について、図１〜３を参照して説明する。
【００４５】
図１は、本発明に係る液晶表示装置の一実施形態を示す図である。
【００４６】
本実施形態における液晶表示装置は、図１に示すように、液晶表示ユニット１００と制御部（出力制御手段、開口率制御手段、タイミング制御手段、画像取得表示時間制御手段、画像取得時間制御手段、画像表示時間制御手段、画像表示回数制御手段）３０とにより構成されている。
【００４７】
まず、液晶表示ユニット１００について、図２及び図３に基づいて詳細に説明する。
【００４８】
図２は、第１実施形態における液晶表示ユニットを示す平面図である。また、図３は、図２に示す液晶表示ユニットを側面から見た図である。
【００４９】
液晶表示ユニット１００は、主に液晶表示パネルと、撮像部と、高輝度のＬＥＤ（光源）２（以下、単に「ＬＥＤ」又は「光源」ともいう。）とを備えている。
【００５０】
液晶表示パネルは、主に一対の透明基板１及び６と、これらの間に挟まれた液晶７とを備えている。液晶７は、透明基板１及び６に注入封止されている。また、透明基板１における面１２側には、画像が表示される。
【００５１】
また、液晶表示パネルには、ＬＥＤ２から照射される光を液晶表示パネル全面に導光する導光板４が設けられている。導光板４は、例えば反射板等であってもよい。
【００５２】
さらに、液晶表示パネルには、図示しない画素部が設けられ、またこの画素部の開口率を調節するシャッター（図示せず）が設けられている。画素部の開口率とは、１画素あたりの表示に有効な領域の面積比率である。
【００５３】
なお、本実施形態においては、画素部に設けられたシャッターにより画素部の開口率を調節するが、本発明においては、特にこれに限定されない。本発明に係る液晶表示パネルは、例えば画素部の光の透過率を変える方法、画素を黒色表示させる方法などにより、画素部の開口率を調節してもよい。画素部の光の透過率は、例えば電圧の印加により液晶の配向を変化させる、偏光させるなどの方法により変えることができる。
【００５４】
透明基板１は、透明基板６よりも大きく形成され、この大きく形成された部分に撮像部とＬＥＤ２とが設けられている。
【００５５】
撮像部は、画像を撮像して取得する撮像機能を持ったものであり、レンズ３及び撮像素子５により構成されている。また、図示していないが、撮像部には、レンズ３から入射した光を撮像素子５の受光面に導光する導光板が設けられている。
【００５６】
撮像素子５は、透明基板１における透明基板６側に設けられており、撮像素子５の受光面は、透明基板１の面１１と向かい合っている。撮像素子５は、面１１にフリップチップボンディング（ＦＣＢ）実装されることにより設けられており、撮像素子５の受光面側に配置された突起状電極（図示せず）と透明基板１に配置された配線（図示せず）とが電気的に接続されている。
【００５７】
なお、撮像素子は、受光面とは逆側の面に電極が配置され、この面において透明基板に設けられていてもよく、この場合には撮像素子における電極が透明基板に配置された電極にワイヤーボンディング実装等の方法により接続されていてもよい。
【００５８】
レンズ３は、透明基板１における、透明基板６とは反対側の面１２上に設けられている。レンズ３は、透明基板１の面１２と向かい合っており、また透明基板１を挟むようにして撮像素子５と向かい合っている。すなわち、撮像素子５とレンズ３とは、透明基板１を挟んで配置されている。レンズ３の光学中心と撮像素子５の受光面の中心とは概ね平面的に合致している。
【００５９】
なお、撮像素子とレンズとは、液晶表示パネルが備える一対の透明基板のうちの少なくとも一方を挟んで配置されていればよい。
【００６０】
このように、本実施形態における液晶表示装置は、撮像部と液晶表示パネルとが一体化しているので、装置を小さくすることができる。また、製造の際、別に製造した撮像部を液晶表示装置に組み込む工程等を行なう必要がないため工程数を減らすことができ、製造コストを抑えることができる。
【００６１】
また、撮像素子５とレンズ３との間の透明基板１にＩＲカット用のコート膜等を具備させてもよい。これにより、液晶表示パネルの透明基板１の一部を、撮像部のＩＲカットフィルターとして機能させることができるので、液晶表示装置の部品点数を減らすことができ、さらに製造コストを抑えることができるとともに、装置をより小型化させることができる。
【００６２】
ＬＥＤ２は、撮像部の近傍において、透明基板１の面１２上に設けられている。ＬＥＤ２は、液晶表示パネルにおけるバックライトとして機能しており、ＬＥＤ２から放射された光は、導光板４により導光され、液晶表示パネル全面に概ね均一に照射される。
【００６３】
ここで、ＬＥＤ２の光が放射される領域について説明する。図２に示すように、ＬＥＤ２には、反射面２１が設けられている。ＬＥＤ２から放射される光には、図２の左方向（液晶表示パネルがある方向）に進む光と、反射面２１により反射されて図２の左方向に進む光とが含まれている。これらの光が放射される領域は、図２及び図３に破線により示した光放射領域界面２２よりも左側となる。
【００６４】
なお、本実施形態においては、ＬＥＤ２は撮像部の近傍に設けられているが、本発明に係る液晶表示装置においては、光源の位置は撮像部の近傍には限定されない。
【００６５】
また、本発明に係る液晶表示装置が備える光源は、液晶表示パネルに光を照射するものであればよく、例えば点状光源、線状光源、点又は線状光源からの光を導入して平面状の発光面より面状に光を放射する面状導光体、面状光源等であってもよい。また、点状光源及び線状光源は、１つでもよいし、複数設けられていてもよい。
【００６６】
次に、制御部３０について説明する。
【００６７】
制御部３０は、上述した液晶表示ユニット１００に接続され、液晶表示ユニット１００と信号をやりとりすることによって、これを制御する。
【００６８】
制御部３０は、少なくとも、液晶表示ユニット１００におけるＬＥＤ２の出力を制御する。制御部３０は、液晶表示ユニット１００から、撮像部が画像を取得している画像取得状態を示す画像取得信号、及び液晶表示パネルが画像を表示している画像表示状態を示す画像表示信号を受け付ける。そして、画像取得信号を受け付けているときには、画像取得状態であることを認識し、画像表示信号を受け付けているときには、画像表示状態であることを認識する。そして、制御部３０は、画像取得状態のときにおけるＬＥＤ２の出力を、画像表示状態のときにおけるＬＥＤ２の出力より小さく制御する。
【００６９】
なお、本発明に係る液晶表示装置の出力制御手段は、画像取得状態か否かの認識、及び画像表示状態か否かの認識を行なえばよく、その方法は、上述したものには限られない。例えば、画像の取得の開始を示す画像取得開始信号と、画像の取得の終了を示す画像取得終了信号とを受け付け、画像取得開始信号を受け付けたときから画像取得終了信号を受け付けたときまでの間を、画像取得状態であると認識してもよい。また、画像の表示の開始を示す画像表示開始信号と、画像の表示の終了を示す画像表示終了信号とを受け付け、画像表示開始信号を受け付けたときから画像表示終了信号を受け付けたときまでの間を、画像表示状態であると認識してもよい。上述した画像取得信号、画像表示信号、上記画像取得開始信号、上記画像取得終了信号、上記画像表示開始信号、上記画像表示終了信号については、例えば、液晶表示装置に入力部を設けておき、入力部が、ユーザーによる画像を取得するか否か、または画像を表示するか否かの選択を入力するための指示を受け付けたときにこれらの信号を生成するようにすればよい。
【００７０】
上述した液晶表示ユニット１００においては、図２及び図３の光放射領域界面２２に示されるように、撮像部における撮像素子５とレンズ３との間の透明基板１は、ＬＥＤ２の光が放射される領域内となるので、ＬＥＤ２の光は撮像素子５の受光面に入り込むことがある。
【００７１】
しかし、本実施形態においては、制御部３０の制御により、画像取得状態のときにはＬＥＤ２の出力を小さくすることができるので、撮像素子５の受光面に入り込むＬＥＤ２由来の光の量を低減させることができる。したがって、撮像される画像が白くなったり、液晶表示パネルにおけるゴミ、油膜等による乱反射光が画像に写り込んだりすることを抑制することができるので、良好な画像を取得することができる。また、画像表示状態のときには、ＬＥＤ２の出力を十分に大きくすることができるので、画像を良好に表示することができる。
【００７２】
以下に、制御部３０により行われる制御パターンの例について説明するとともに、本発明に係る制御方法について説明する。
【００７３】
まず、静止画を取得して表示する際の制御パターンの例を示す。
【００７４】
（制御パターン１）
制御パターン１では、制御部３０が上述したようにＬＥＤ２の出力を制御する場合について説明する。
【００７５】
制御パターン１について、図５に基づいて説明する。図５は、本発明に係る制御方法による制御パターンの一例を示す、時間（ｔ）と光源の出力（ｗ）との関係を表すグラフである。
【００７６】
なお、時間（ｔ）とは、制御部３０に接続された記憶部（図示せず）に予め入力されたものであればよく、制御部３０は、記憶部から時間（ｔ）に関する情報を引き出すことによって制御を行なうことができる。
【００７７】
制御パターン１では、図５に示すように、時間ｔ１からｔ２の間に撮像部が画像を取得取得し、時間ｔ２以降に液晶表示パネルが当該画像を表示される。
【００７８】
制御部３０は、時間ｔ１からｔ２の間には、液晶表示ユニット１００から画像取得信号を受け付け、画像取得状態であることを認識し、ＬＥＤ２の出力をｗ１にするよう制御する。また、時間ｔ２以降には、液晶表示ユニット１００から画像表示信号を受け付け、画像表示状態であることを認識し、ＬＥＤ２の出力をｗ２にするよう制御する。
【００７９】
これにより、撮像部が画像を取得しているときにはＬＥＤ２の出力を小さくすることができるので、撮像素子５の受光面に入り込むＬＥＤ２由来の光の量を低減させることができる。したがって、撮像される画像が白くなったり、液晶表示パネルにおけるゴミ、油膜等による乱反射光が画像に写り込んだりすることを抑制することができるので、良好な画像を取得することができる。また、液晶表示パネルが画像を表示しているときには、ＬＥＤ２の出力を十分に大きくすることができるので、画像を良好に表示することができる。
【００８０】
（制御パターン２）
制御パターン２について、図６に基づいて説明する。図６は、本発明に係る制御方法による制御パターンの一例を示す、時間と光源の出力との関係を表すグラフである。
【００８１】
制御部３０は、図６に示すように、上述した制御パターン１において、画像取得状態のときにおけるＬＥＤ２の出力を０にするよう制御する。
【００８２】
これにより、撮像部が画像を取得しているときに撮像素子５の受光面に入り込むＬＥＤ２由来の光をなくすことができるので、より良好な画像を取得することができる。
【００８３】
（制御パターン３）
制御パターン３では、制御部３０が、さらに、液晶表示パネルの画素部の開口率を制御するものである場合について説明する。制御部３０は、画像取得状態のときにおける画素部の開口率を、画像表示状態のときにおける画素部の開口率より小さく制御する。
【００８４】
制御パターン３について、図７に基づいて説明する。図７は、本発明に係る制御方法による制御パターンの一例を示す、時間（ｔ）と開口率（ｆ）との関係を表すグラフである。
【００８５】
制御パターン３では、図７に示すように、時間ｔ１からｔ２の間に撮像部が画像を取得して、時間ｔ２以降に液晶表示パネルが当該画像を表示する。
【００８６】
制御部３０は、時間ｔ１からｔ２の間には、液晶表示ユニット１００から画像取得信号を受け付け、画像取得状態であることを認識し、画素部の開口率をｆ１にするよう制御する。また、時間ｔ２以降には、液晶表示ユニット１００から画像表示信号を受け付け、画像表示状態であることを認識し、画素部の開口率をｆ２にするよう制御する。
【００８７】
これにより、撮像部が画像を取得しているときには、液晶表示パネルの画素部の開口率を小さくすることができるので、液晶表示パネルに照射される外光の量を低減させることができる。例えば、上述した液晶表示装置を日光の下などで使用した場合には、透明基板１に強い外光が照射されるので、この外光が撮像素子５の受光面に入り込むおそれが高いが、このような場合でも、本制御パターンによれば、液晶表示パネルに照射される外光の量を低減させることができる。したがって、撮像素子５の受光面に入る外光の量を低減させることができるので、より良好な画像を取得することができる。また、液晶表示パネルが画像を表示しているときには、画素部の開口率を十分に大きくすることができるので、画像をより良好に表示することができる。
【００８８】
（制御パターン４）
制御パターン４について、図８に基づいて説明する。図８は、本発明に係る制御方法による制御パターンの一例を示す、時間と開口率との関係を表すグラフである。
【００８９】
制御パターン４は、図８に示すように、上述した制御パターン３において画像取得状態のときにおける画素部の開口率を０％にするよう制御するものである。
【００９０】
これにより、撮像部が画像を取得しているときに撮像素子５の受光面に入る外光をなくすことができるので、より良好な画像を取得することができる。
【００９１】
なお、上述した制御パターン１〜４において、画像を取得したあとに、その画像を液晶表示パネルに転送する場合には、この転送に要する時間（転送時間）は、画像を取得する時間、すなわち時間ｔ１からｔ２の間に含まれていてもよいし、画像を表示する時間、すなわち時間ｔ２以降に含まれていてもよい。
【００９２】
次に、動画を取得して表示する際の制御パターンの例を示す。
【００９３】
なお、動画は、複数の画像により構成されているものとすることができる。ここでは、動画を構成する各々の画像をフレームとよぶこととする。
【００９４】
制御部３０は、液晶表示ユニット１００から、撮像部がフレームを取得している状態（動画構成画像取得状態、フレーム取得状態）を示すフレーム取得信号、及び液晶表示パネルによりフレームを表示している状態（動画構成画像表示状態、フレーム表示状態）を示すフレーム表示信号を受け付ける。そして、フレーム取得信号を受け付けているときには、フレーム取得状態であることを認識し、フレーム表示信号を受け付けているときには、フレーム表示状態であることを認識する。そして、制御部３０は、フレーム取得状態のときにおけるＬＥＤ２の出力を、フレーム表示信号を受け付けているときにおけるＬＥＤ２の出力より小さく制御する。
【００９５】
なお、本発明に係る液晶表示装置の出力制御手段は、撮像部が動画を構成する各々の画像を取得している動画構成画像取得状態か否かの認識、及び液晶表示パネルが動画を構成する各々の画像を表示している動画構成画像表示状態か否かの認識を行なえばよく、その方法は、上述したものには限られない。例えば、動画を構成する各々の画像の取得の開始を示す動画構成画像取得開始信号と、動画を構成する各々の画像の取得の終了を示す動画構成画像取得終了信号とを受け付け、動画構成画像取得開始信号を受け付けたときから動画構成画像取得終了信号を受け付けたときまでの間を、動画構成画像取得状態であると認識してもよい。また、動画を構成する各々の画像の表示の開始を表す動画構成画像表示開始信号と、動画を構成する各々の画像の表示の終了を表す動画構成画像表示終了信号とを受け付け、動画構成画像表示開始信号を受け付けたときから動画構成画像表示終了信号を受け付けたときまでの間を、動画構成画像表示状態であると認識してもよい。上述したフレーム取得信号、フレーム表示信号、上記動画構成画像取得開始信号、上記動画構成画像取得終了信号、上記動画構成画像表示開始信号、上記動画構成画像表示終了信号については、例えば、液晶表示装置に入力部を設けておき、入力部が、ユーザーによる動画を取得するか否か、または動画を表示するか否かの選択を入力するための指示を受け付けたときにこれらの信号を生成するようにすればよい。
【００９６】
（制御パターン５）
制御パターン５では、制御部３０が上述したようにＬＥＤ２の出力を制御する場合について説明する。
【００９７】
制御パターン５について、図９に基づいて説明する。図９は、本発明に係る制御方法による制御パターンの一例を示す、時間と光源の出力との関係を表すグラフである。
【００９８】
制御パターン５では、図９に示すように、時間ｔ１からｔ２の間に撮像部がフレームａ１を取得し、時間ｔ２からｔ３の間に液晶表示パネルがフレームａ１を表示する。次に、時間ｔ３からｔ４の間に撮像部がフレームａ２を取得し、時間ｔ４からｔ５の間に液晶表示パネルがフレームａ２を表示する。このように、各フレームの取得と表示とが繰り返されることによって、動画が取得され、表示される。
【００９９】
制御部３０は、時間ｔ１からｔ２の間、及び時間ｔ３からｔ４の間には、液晶表示ユニット１００からフレーム取得信号を受け付け、フレーム取得状態であることを認識し、ＬＥＤ２の出力をｗ１にするよう制御する。また、時間ｔ２からｔ３の間、及び時間ｔ４からｔ５の間には、液晶表示ユニット１００からフレーム表示信号を受け付け、フレーム表示状態であることを認識し、ＬＥＤ２の出力をｗ２にするよう制御する。
【０１００】
制御部３０は、このように、フレームの取得と表示とが繰り返されるのに伴って、ＬＥＤ２の出力を制御する。
【０１０１】
これにより、撮像部がフレームを取得しているときにはＬＥＤ２の出力を小さくすることができるので、撮像素子５の受光面に入り込むＬＥＤ２由来の光の量を低減させることができる。よって、撮像されるフレームが白くなったり、液晶表示パネルにおけるゴミ、油膜等による乱反射光がフレームに写りこんだりすることを抑制することができるので、良好なフレームを取得することができる。また、液晶表示パネルがフレームを表示しているときには、ＬＥＤ２の出力を十分に大きくすることができるので、フレームを良好に表示することができる。したがって、動画を良好に取得し、表示することができる。
【０１０２】
（制御パターン６）
制御パターン６について、図１０に基づいて説明する。図１０は、本発明に係る制御方法による制御パターンの一例を示す、時間と光源の出力との関係を表すグラフである。
【０１０３】
制御パターン６は、図１０に示すように、上述した制御パターン５において、撮像部がフレームを取得するときにおけるＬＥＤ２の出力を０にするよう制御するものである。
【０１０４】
これにより、撮像部がフレームを取得するときに撮像素子５の受光面に入るＬＥＤ２由来の光をなくすことができるので、より良好なフレームを取得することができる。したがって、動画をより良好に取得し、表示することができる。
【０１０５】
（制御パターン７）
制御パターン７では、制御部３０が、さらに、液晶表示パネルの画素部の開口率を制御するものである場合について説明する。制御部３０は、フレーム取得状態のときにおける画素部の開口率を、フレーム表示状態のときにおける画素部の開口率より小さく制御する。
【０１０６】
制御パターン７について、図１１に基づいて説明する。図１１は、本発明に係る制御方法による制御パターンの一例を示す、時間と開口率との関係を表すグラフである。
【０１０７】
制御パターン７では、図１１に示すように、時間ｔ１からｔ２の間に撮像部がフレームａ１を取得し、時間ｔ２からｔ３の間に液晶表示パネルがフレームａ１を表示する。次に、時間ｔ３からｔ４の間に撮像部がフレームａ２を取得し、時間ｔ４からｔ５の間に液晶表示パネルがフレームａ２を表示する。このように、各フレームの取得と表示とが繰り返されることによって、動画が取得され、表示される。
【０１０８】
制御部３０は、時間ｔ１からｔ２の間、及び時間ｔ３からｔ４の間には、液晶表示ユニット１００からフレーム取得信号を受け付け、フレーム取得状態であることを認識し、画素部の開口率をｆ１にするよう制御する。また、時間ｔ２からｔ３の間、及び時間ｔ４からｔ５の間には、液晶表示ユニット１００からフレーム表示信号を受け付け、フレーム表示状態であることを認識し、画素部の開口率をｆ２にするよう制御する。
【０１０９】
制御部３０は、このように、フレームの取得と表示とが繰り返されるのに伴って、画素部の開口率を制御する。
【０１１０】
これにより、撮像部がフレームを取得しているときには、画素部の開口率を小さくすることができる。例えば日光の下などで使用した場合にも、画素部の開口部から入る外光の量を低減させることができる。したがって、撮像素子５の受光面に入る外光の量を低減させることができるので、より良好なフレームを取得することができる。また、液晶表示パネルがフレームを表示しているときには、画素部の開口率を十分に大きくすることができるので、フレームをより良好に表示することができる。したがって、動画をより良好に取得し、表示することができる。
【０１１１】
（制御パターン８）
制御パターン８について、図１２に基づいて説明する。図１２は、本発明に係る制御方法による制御パターンの一例を示す、時間と開口率との関係を表すグラフである。
【０１１２】
制御パターン８は、図１２に示すように、上述した制御パターン７において、フレーム取得状態のときにおける画素部の開口率を０％にするよう制御するものである。
【０１１３】
これにより、撮像部がフレームを取得しているときに撮像素子５の受光面に入る外光をなくすことができるので、より良好なフレームを取得することができる。したがって、動画をより良好に取得し、表示することができる。
【０１１４】
（制御パターン９）
制御パターン９では、制御部３０が、さらに、撮像部により取得されたフレームを液晶表示パネルにより表示させるタイミングを制御するものであり、取得されたフレームが、当該フレームより後に取得される少なくとも１つの他のフレームが取得された後に表示されるように制御する場合について、説明する。
【０１１５】
制御パターン９について、図１３に基づいて説明する。図１３は、本発明に係る制御方法による制御パターンの一例を示す、時間と光源の出力との関係を表すグラフである。
【０１１６】
制御パターン９では、図１３に示すように、時間ｔ１からｔ２の間に撮像部がフレームａ１を取得し、時間ｔ２からｔ３の間に、液晶表示装置に設けられた画像転送手段（図示せず）が、液晶表示装置に設けられたバッファ（図示せず）にフレームａ１を転送して書き込む。また、時間ｔ３からｔ４の間に、撮像部がフレームａ２を取得し、時間ｔ４からｔ５の間に、画像転送手段がフレームａ２をバッファに転送して書き込む。
【０１１７】
制御部３０は、フレームａ１が、取得された直後の時間ｔ２からｔ３の間には表示されず、時間ｔ４からｔ５の間に液晶表示パネルに表示されるよう制御する。すなわち、フレームａ１が表示されるタイミングは、フレームａ２が取得された後となる。また、フレームａ２が、取得された直後の時間ｔ４からｔ５の間には表示されず、時間ｔ６からｔ７の間に表示されるよう制御する。すなわち、フレームａ２が表示されるタイミングは、時間ｔ４からｔ５の間にフレームａ３が取得された後となる。
【０１１８】
また、制御部３０は、時間ｔ１からｔ２の間、及び時間ｔ３からｔ４の間には、液晶表示ユニット１００からフレーム取得信号を受け付け、フレーム取得状態であることを認識し、ＬＥＤ２の出力をｗ１にするよう制御する。また、時間ｔ４からｔ５の間、及び時間ｔ６からｔ７の間には、液晶表示ユニット１００からフレーム表示信号を受け付け、フレーム表示状態であることを認識し、ＬＥＤ２の出力をｗ２にするよう制御する。なお、時間ｔ２からｔ３の間には、制御部３０はフレーム取得信号もフレーム表示信号も受け付けないので、ＬＥＤ２の出力がｗ１のままとなっている。
【０１１９】
このようなパターンにより制御されることにより、取得されたフレームがすぐには表示されず、少なくとも１つの他のフレームが取得された後に表示されるので、ある程度時間が経ってから表示されることとなるため、データ容量が多いフレーム、例えば画素数の多い精細なフレーム等であっても、バッファ等に転送される時間が十分確保される。これにより、フレームの転送に時間を要したとしても、単位時間当たりの表示回数が減ることがなく、コマ送りのような動画となるのを抑制することができる。したがって、動画を、違和感がないように表示することができる。
【０１２０】
また、制御パターン９においては、ＬＥＤ２の出力を制御することにより、撮像部がフレームを取得しているときには、撮像素子５の受光面に入り込む光の量を低減させることができるので、フレームが白くなったり、乱反射光がフレームに写り込んだりするのを抑制することができ、したがって良好なフレームを取得することができる。
【０１２１】
なお、フレームを表示させるタイミングに関する情報は、図示しない記憶部に予め入力されていてもよく、制御部３０は、記憶部からこの情報を引き出すことにより、入力された情報にしたがって制御してもよい。
【０１２２】
また、制御部３０は、フレーム取得状態のときにおけるＬＥＤ２の出力を０にするよう制御してもよい。また、フレーム取得状態のときにおける液晶表示パネルの画素部の開口率を、フレーム表示状態のときにおける画素部の開口率より小さくするように制御してもよい。
【０１２３】
また、取得されたフレームが液晶表示パネルにより表示されるタイミングは、特に上述したパターンには限定されない。例えば、制御手段は、取得されたフレームが、当該フレームより後に取得される２つ以上の他のフレームが取得された後に表示されるように制御してもよい。
【０１２４】
さらに、上述したパターンでは、画像転送手段が、時間ｔ２からｔ３までの間にフレームａ１をバッファへ転送して書き込むが、特にこれに限定されない。例えば、画像転送手段は、フレームａ１を、時間ｔ１からｔ２までの間にバッファへ転送してもよく、その場合には時間ｔ２からｔ３までの時間のような、フレームをバッファへ転送して書き込むための時間はなくてもよい。
【０１２５】
（制御パターン１０）
制御パターン１０では、制御部３０が、さらに、撮像部によるフレームの取得時間、及び液晶表示パネルによるフレームの表示時間を制御するものであり、フレームの表示時間を、フレームの取得時間より長くするように制御する場合について説明する。
【０１２６】
制御パターン１０について、図１４に基づいて説明する。図１４は、本発明に係る制御方法による制御パターンの一例を示す、時間と光源の出力との関係を表すグラフである。
【０１２７】
本パターンでは、時間ｔ１からｔ２の間に撮像部がフレームａ１を取得し、時間ｔ２からｔ３の間に液晶表示パネルがフレームａ１を表示する。次に、時間ｔ３からｔ４の間に撮像部がフレームａ２を取得し、時間ｔ４からｔ５の間に液晶表示パネルがフレームａ２を表示する。このように、各フレームの取得と表示とが繰り返されることによって、動画が取得され、表示される。
【０１２８】
制御部３０は、図１４に示すように、時間ｔ２からｔ３までの時間を、時間ｔ１からｔ２までの時間より長くするように制御する。また、時間ｔ４からｔ５までの時間を、時間ｔ３からｔ４までの時間より長くするように制御する。
【０１２９】
また、制御部３０は、時間ｔ１からｔ２の間、及び時間ｔ３からｔ４の間には、液晶表示ユニット１００からフレーム取得信号を受け付け、フレーム取得状態であることを認識し、ＬＥＤ２の出力をｗ１にするよう制御する。また、時間ｔ２からｔ３の間、及び時間ｔ４からｔ５の間には、液晶表示ユニット１００からフレーム表示信号を受け付け、フレーム表示状態であることを認識し、ＬＥＤ２の出力をｗ２にするよう制御する。
【０１３０】
制御部３０は、このように、フレームの取得と表示とが繰り返されるのに伴って、取得時間、表示時間及びＬＥＤ２の出力を制御する。
【０１３１】
このようなパターンにより制御すれば、フレームの表示時間が取得時間より長くなるので、フレームを確実に表示することができるため、動画のちらつきを低減させることができる。また、撮像部がフレームを取得しているときには、ＬＥＤ２の出力を小さくすることができるので、撮像素子５の受光面に入り込む光の量を低減させることができるため、良好な画像を取得することができる。
【０１３２】
なお、フレームの表示時間と取得時間とは、予め決められていてもよい。また、フレームの表示時間と取得時間とに関する情報が、図示しない記憶部に予め入力されていてもよく、制御部３０は、記憶部からこの情報を引き出すことにより、入力された情報にしたがって制御してもよい。
【０１３３】
また、制御部３０は、フレーム取得状態のときにおけるＬＥＤ２の出力を０にするよう制御してもよい。また、フレーム取得状態のときにおける液晶表示パネルの画素部の開口率を、フレーム表示状態のときにおける画素部の開口率より小さくするように制御してもよい。
【０１３４】
（制御パターン１１）
制御パターン１１では、制御部３０が、さらに、撮像部による画像の取得時間と、液晶表示パネルによる画像の表示時間とを制御するものである場合について説明する。また、本パターンにおける制御部３０は、周囲が明るい状態か暗い状態かを認識するものである。そして、周囲が暗い状態のときにおける、撮像部による画像の取得時間を、周囲が明るい状態のときにおける取得時間より長く制御する。また、周囲が暗い状態のときにおける、液晶表示パネルによる画像の表示時間を、周囲が明るい状態のときにおける表示時間より長く制御する。
【０１３５】
撮像部による画像の取得時間は、例えば、制御部３０が撮像部に対して、画像の取得を開始させる開始信号及び終了させる終了信号を送信することにより、制御されてもよい。また、液晶表示パネルによる画像の表示時間は、例えば、制御部３０が液晶表示パネルに対して、画像の表示を開始させる開始信号及び終了させる終了信号を送信することにより、制御されてもよい。
【０１３６】
周囲とは、液晶表示装置の周囲であり、例えば液晶表示装置が置かれている場所の周囲であればよい。制御部３０は、例えば、液晶表示装置に備えられている周囲の明るさを感知するセンサーから、周囲が明るい状態であることを示す信号又は暗い状態であることを示す信号を受け付けることにより、周囲が明るい状態か暗い状態かを認識してもよい。また、液晶表示装置を使用するユーザーにより、周囲が明るい状態か暗い状態かを入力されることによって認識してもよい。
【０１３７】
制御パターン１１について、図１５に基づいて説明する。図１５は、本発明に係る制御方法による制御パターンの一例を示す、時間と光源の出力との関係を表すグラフである。
【０１３８】
図１５に示すように、時間ｔ１からｔ２の間に撮像部がフレームａ１を取得し、時間ｔ２からｔ３の間に液晶表示パネルがフレームａ１を表示する。また、時間ｔ３からｔ４の間に撮像部がフレームａ２を取得し、時間ｔ４からｔ５の間に液晶表示パネルがフレームａ２を表示する。このとき、時間ｔ１からｔ３の間は周囲が暗い状態であり、時間ｔ３からｔ５の間は周囲が明るい状態であるとする。
【０１３９】
制御部３０は、時間ｔ１からｔ３の間には、周囲が暗い状態であることを認識し、時間ｔ３からｔ５の間には、周囲が明るい状態であることを認識する。その結果、制御部３０は、フレームａ１の取得時間及び表示時間を、フレームａ２の取得時間及び表示時間より長く制御する。
【０１４０】
また、制御部３０は、時間ｔ１からｔ２の間、及び時間ｔ３からｔ４の間には、液晶表示ユニット１００からフレーム取得信号を受け付け、フレーム取得状態であることを認識し、ＬＥＤ２の出力をｗ１にするよう制御する。また、時間ｔ２からｔ３の間、及び時間ｔ４からｔ５の間には、液晶表示ユニット１００からフレーム表示信号を受け付け、フレーム表示状態であることを認識し、ＬＥＤ２の出力をｗ２にするよう制御する。
【０１４１】
このように、制御部３０は、フレームの取得と表示とが繰り返されるのに伴って、取得時間、表示時間及びＬＥＤ２の出力を制御する。
【０１４２】
上述したように、制御部３０が、周囲が暗い状態のときにおけるフレームの取得時間を長く制御することにより、確実にフレームを取得することができる。例えば、撮像素子５にフォトダイオードが備えられている場合、周囲が暗い状態のときにはこのフォトダイオードに電荷が蓄積されにくいが、フレームの取得時間を長く制御することによって充分に電荷が蓄積されることとなる。また、周囲が明るい状態のときには、フレームの取得時間を短くすることにより、撮像素子５の受光面に入る外光を低減させることができる。このように、周囲が明るい状態か暗い状態かによって、フレームの取得時間をフレームごとに適切に調節することができるので、良好なフレームを取得することができる。
【０１４３】
また、制御部３０が、周囲が暗い状態のときにはフレームの表示時間を長く制御することにより、暗いフレームであっても、目又は脳等に残像が確実に残るように表示することができる。さらに、周囲が明るい状態か暗い状態かによって、フレームの表示時間をフレームごとに適切に調節することができるので、フレームを良好に表示することができる。これにより、動きが自然に感じられるように動画を表示することができる。
【０１４４】
さらに、撮像部がフレームを取得するときには、ＬＥＤ２の出力を小さくするよう制御するので、撮像素子５の受光面に入り込む光の量を低減させることができるため、良好なフレームを取得することができる。
【０１４５】
なお、本パターンでは、制御部３０は、撮像部によるフレームの取得時間と、液晶表示パネルによるフレームの表示時間とを両方制御するが、本発明においては、画像の取得時間のみ、又は画像の表示時間のみを制御してもよい。
【０１４６】
また、制御部３０は、フレーム取得状態のときにおけるＬＥＤ２の出力を０にするよう制御してもよい。また、フレーム取得状態のときにおける液晶表示パネルの画素部の開口率を、フレーム表示状態のときにおける画素部の開口率より小さくするように制御してもよい。
【０１４７】
（制御パターン１２）
制御パターン１２では、制御部３０が、さらに、被写体への光の照度が低い状態か高い状態かを認識するものであり、フレーム取得状態であって、被写体への光の照度が低い状態のときにおけるＬＥＤ２の出力を、フレーム取得状態であって、被写体への光の照度が高い状態のときにおけるＬＥＤ２の出力より小さく制御する場合について説明する。
【０１４８】
制御部３０は、例えば、液晶表示装置に備えられている、被写体への光の照度を検知するセンサーから、被写体への光の照度が低い状態であることを示す信号又は高い状態であることを示す信号を受け付けることにより、被写体への光の照度が低い状態か高い状態かを認識してもよい。また、液晶表示装置に、被写体への光の照度が低い状態か高い状態かを入力する入力部を設けて、入力部が、ユーザーから、被写体への光の照度が低い状態か高い状態かの入力を受け付けて、被写体への光の照度が低い状態であることを示す信号又は高い状態であることを示す信号を生成して、制御部３０が当該信号を受け付けることによって認識してもよい。
【０１４９】
制御パターン１２について、図１６に基づいて説明する。図１６は、本発明に係る制御方法による制御パターンの一例を示す、時間と光源の出力との関係を表すグラフである。
【０１５０】
図１６に示すように、撮像部が、時間ｔ１からｔ２の間にフレームａ１を取得し、時間ｔ３からｔ４の間にフレームａ２を取得し、さらに、時間ｔ５からｔ６の間にフレームａ３を取得する。このとき、被写体への光の照度は、時間ｔ１からｔ２の間においては１００ルクス程度であり、時間ｔ３からｔ４の間においては５ルクス程度であり、時間ｔ５からｔ６の間においては、被写体が太陽光に照射され、被写体への光の照度が非常に高くなっているとする。
【０１５１】
制御部３０は、時間ｔ１からｔ２の間には、フレーム取得状態であること、及び被写体への光の照度が高い状態であることを認識し、ＬＥＤ２の出力をｗ１にするよう制御する。時間ｔ３からｔ４の間には、フレーム取得状態であること、及び被写体への光の照度が低い状態であることを認識し、ＬＥＤ２の出力を０にするよう制御する。また、時間ｔ５からｔ６の間には、フレーム取得状態であること、及び被写体への光の照度が非常に高い状態であることを認識し、ＬＥＤ２の出力をｗ２にするよう制御する。さらに、時間ｔ２からｔ３の間、ｔ４からｔ５の間及びｔ６からｔ７の間には、フレーム表示状態であることを認識し、ＬＥＤ２の出力をｗ２にするよう制御する。
【０１５２】
このように、制御部３０は、フレームの取得と表示とが繰り返されるのに伴って、ＬＥＤ２の出力を制御する。
【０１５３】
ここで、被写体への光の照度が低いときには、被写体を確実に撮像するために撮像素子５の感度を高くすることがあり、この場合には特に、撮像素子５の受光面に入り込むＬＥＤ２由来の光の影響が大きい。一方、被写体への光の照度が高い場合には、被写体を確実に撮像するために撮像素子５の感度を低くすることがあり、この場合には、撮像素子５の受光面に入り込むＬＥＤ２由来の光の影響は小さい。特に、被写体が太陽光などの強い光に照射される場合には、ＬＥＤ２による影響はより小さくなる。
【０１５４】
本パターンでは、上述したように制御することにより、撮像部がフレームを取得しており、かつ被写体への光の照度が低い状態であるときに、ＬＥＤ２の出力を小さくすることができるので、撮像素子５の感度が高くなっている場合でも、撮像素子５の受光面に入るＬＥＤ２由来の光の量を低減させることができる。このように、被写体への光の照度に応じて、ＬＥＤ２の出力を制御することにより、撮像素子５の受光面に入る光の量を適切に調節することができる。したがって、良好なフレームを取得することができる。
【０１５５】
（制御パターン１３）
制御パターン１３では、制御部３０が、液晶表示パネルの画素部に照射される外光が明るい状態か暗い状態かを認識するものであり、フレーム取得状態であって、画素部に照射される外光が明るい状態のときにおける画素部の開口率を、フレーム取得状態であって、画素部に照射される外光が暗い状態のときにおける開口率より小さく制御する場合について説明する。
【０１５６】
制御部３０は、例えば、液晶表示装置に備えられている、液晶表示パネルの画素部に照射される外光の強さを感知するセンサーから、画素部に照射される外光が明るい状態であることを示す信号又は暗い状態であることを示す信号を受け付けることにより、画素部に照射される外光が明るい状態か暗い状態かを認識してもよい。また、液晶表示装置に、画素部に照射される外光が明るい状態か低い状態かを入力する入力部を設けて、入力部が、ユーザーから、画素部に照射される外光が明るい状態か暗い状態かの入力を受け付けて、画素部に照射される外光が明るい状態であることを示す信号又は暗い状態であることを示す信号を生成して、制御部３０が当該信号を受け付けることによって認識してもよい。
【０１５７】
制御パターン１３について、図１７に基づいて説明する。図１７は、本発明に係る制御方法による制御パターンの一例を示す、時間と光源の出力との関係を表すグラフである。
【０１５８】
図１７に示すように、撮像部は、時間ｔ１からｔ２の間にフレームａ１を取得し、時間ｔ３からｔ４の間にフレームａ２を取得し、さらに、時間ｔ５からｔ６の間にフレームａ３を取得する。このとき、画素部に照射される外光は、時間ｔ１からｔ２の間においては１００ルクス程度であり、時間ｔ３からｔ４の間においては５ルクス程度であり、時間ｔ５からｔ６の間においては、画素部が太陽光に照射され、画素部に照射される外光が非常に明るい状態になっているとする。
【０１５９】
制御部３０は、時間ｔ１からｔ２の間には、フレーム取得状態であること、及び画素部に照射される外光が明るい状態であることを認識し、画素部の開口率をｆ１にするよう制御する。時間ｔ３からｔ４の間には、フレーム取得状態であること、及び画素部に照射される外光が暗い状態であることを認識し、開口率をｆ２にするよう制御する。また、時間ｔ５からｔ６の間には、フレーム取得状態であること、及び画素部に照射される外光が非常に明るい状態であることを認識し、開口率を０にするよう制御する。さらに、時間ｔ２からｔ３の間、ｔ４からｔ５の間及びｔ６からｔ７の間には、フレーム表示状態であることを認識し、開口率をｆ２にするよう制御する。
【０１６０】
このように、制御部３０は、フレームの取得と表示とが繰り返されるのに伴って、画素部の開口率を制御する。
【０１６１】
本パターンでは、上述したように制御することにより、撮像部がフレームを取得しているときに、画素部に照射される外光が明るい場合には、画素部の開口率を小さくすることができるので、撮像素子５の受光面に入り込む外光の量を低減させることができる。また、画素部に照射される外光が暗い場合には、撮像素子５に対する外光の影響は小さいので、画素部の開口率は大きくてもよい。このように、撮像部がフレームを取得しているときに、画素部に照射される外光の明るさに応じて、画素部の開口率を制御することにより、撮像素子５の受光面に入る光の量を適切に調節することができる。したがって、良好なフレームを取得することができる。
【０１６２】
（制御パターン１４）
制御パターン１４では、制御部３０が、さらに、撮像部により取得されたフレームを液晶表示パネルにより表示させる回数を制御するものであり、取得された画像が２回以上表示されるように制御する場合について説明する。
【０１６３】
制御パターン１４について、図１８に基づいて説明する。図１８は、本発明に係る制御方法による制御パターンの一例を示す、時間と光源の出力との関係を表すグラフである。
【０１６４】
図１８に示すように、撮像部が、時間ｔ１からｔ２の間にフレームａ１を取得する。
【０１６５】
制御部３０は、フレームａ１が、時間ｔ２からｔ３の間、ｔ４からｔ５の間及びｔ６からｔ７の間に液晶表示パネルにより表示されるように制御する。このように、制御部３０は、取得されたフレームが２回以上表示されるように制御する。
【０１６６】
また、制御部３０は、時間ｔ１からｔ２の間に、液晶表示ユニット１００からフレーム取得信号を受け付け、フレーム取得状態であることを認識し、ＬＥＤ２の出力をｗ１にするよう制御する。また、時間ｔ２からｔ３の間、ｔ４からｔ５の間及びｔ６からｔ７の間には、液晶表示ユニット１００からフレーム表示信号を受け付け、フレーム表示状態であることを認識し、ＬＥＤ２の出力をｗ２にするよう制御する。
【０１６７】
なお、制御部３０は、取得されたフレームを２回以上表示させればよく、例えばフレームのデータ容量に基づいて、表示する回数を調節してもよい。また、予め決められた回数が入力されており、この回数にしたがって表示させてもよい。
【０１６８】
上述したように制御することによって、取得されたフレームが複数回表示されることにより、フレームのデータ容量が多く、撮像部から液晶表示パネルへの転送に時間がかかる場合にも、表示されない時間をなくすことができる。また、フレームの転送時間を待つことなくフレームが表示されるので、動画のちらつきを抑えることができる。
【０１６９】
ここで、従来の制御方法について図１９〜図２２を参照して説明し、本発明に係る制御方法と比較する。
【０１７０】
まず、静止画を取得して表示する際の従来の制御方法について説明する。
【０１７１】
図１９は、従来の制御方法における、時間と光源の出力との関係を表すグラフである。
【０１７２】
従来の制御方法では、図１９に示すように、時間ｔ１からｔ２の間において撮像部が画像を取得する時（以下、「画像取得時」ともいう。）も、時間ｔ２以降において、液晶表示パネルがこの画像を表示する時（以下、「画像表示時」ともいう。）も、光源の出力をｗ２とする。
【０１７３】
このように、従来においては、画像取得時と画像表示時とで光源の出力を変更させないので、光源による、画像を表示させるために必要な強烈な光が、画像取得時にも液晶表示パネルに放射されるため、この光が撮像素子の受光面に入り込む可能性が非常に高い。
【０１７４】
図２０は、従来の制御方法における、時間と開口率との関係を表すグラフである。
【０１７５】
従来の制御方法では、図２０に示すように、時間ｔ１からｔ２の間において撮像部が画像を取得する時も、時間ｔ２以降において、液晶表示パネルがこの画像を表示する時も、画素部の開口率をｆ２とするものである。
【０１７６】
このように、従来においては、画像取得時と画像表示時とで画素部の開口率を変更させないので、液晶表示パネルにおける画素部に照射される外光の量は、画像取得時と画像表示時とで変わらない。したがって、画像取得時に、外光が撮像素子の受光面に入り込む可能性が高い。
【０１７７】
したがって、上述した従来の制御方法を用いた場合には、撮像部で撮像した画像が白くなったり、液晶表示パネルに付着した微小なゴミ、油膜等による乱反射光が画像に写り込んだりするため、良好な画像が得られない。
【０１７８】
これに対し、本発明に係る制御方法は、画像取得状態のときにおける光源の出力を、画像表示状態のときにおける光源の出力よりも小さく制御するので、従来の方法に比べて、撮像部が画像を取得するときに撮像素子の受光面に入り込む光の量を低減させることができ、良好な画像を取得することができるものである。
【０１７９】
また、本発明は、画像取得状態のときにおける画素部の開口率を、画像表示状態のときにおける当該開口率よりも小さく制御するので、撮像部が画像を取得するときに、液晶表示パネルの画素部に照射される外光の量を少なくすることができる。したがって、従来の方法に比べて、撮像部が画像を取得するときに撮像素子の受光面に入り込む外光の量を低減させることができ、より良好な画像を取得することができるものである。
【０１８０】
次に、動画を取得して表示する際における従来の制御方法について説明する。
【０１８１】
図２１は、従来の制御方法における、時間と光源の出力との関係を表すグラフである。
【０１８２】
従来の制御方法では、図２１に示すように、時間ｔ１からｔ２の間に撮像部が取得したフレームを、時間ｔ２からｔ３の間に液晶表示パネルが表示し、時間ｔ２からｔ３の間に撮像部が取得したフレームを、時間ｔ３からｔ４の間に液晶表示パネルが表示し、時間ｔ３からｔ４の間に撮像部が取得したフレームを、時間ｔ４からｔ５の間に液晶表示パネルが表示する、というように、フレームの取得と表示とを繰り返す際、光源の出力を常にｗ２とする。
【０１８３】
このように、従来においては、撮像部がフレームを取得する時（以下、「フレーム取得時」ともいう。）と、液晶表示パネルがフレームを表示する時（以下、「フレーム表示時」ともいう。）とで光源の出力を変更させないので、液晶表示パネルがフレームを表示するために必要な、光源による強烈な光が、撮像部がフレームを取得する時にも液晶表示パネルに放射されるため、この光が撮像素子の受光面に入り込んでしまう。
【０１８４】
図２２は、従来の制御方法における、時間と開口率との関係を表すグラフである。
【０１８５】
従来の制御方法では、図２１に示した従来の制御方法と同様に、フレームの取得と表示とを繰り返す際、図２２に示すように、画素部の開口率を常にｆ２とする。
【０１８６】
このように、従来においては、フレーム取得時とフレーム表示時とで画素部の開口率が常に一定であるので、液晶表示パネルに照射される外光が、フレーム取得時にも撮像素子の受光面に入り込んでしまう。
【０１８７】
したがって、図２１及び図２２に示した従来の制御方法を用いた場合には、撮像部で撮像したフレームが白くなったり、液晶表示パネルに付着した微小なゴミ、油膜等による乱反射光がフレームに写り込んだりするため、良好なフレームが得られない。したがって、動画を良好に表示することができない。
【０１８８】
これに対し、本発明に係る制御方法は、フレーム取得状態のときにおける光源の出力を、フレーム表示状態のときにおける光源の出力よりも小さく制御するので、従来の方法に比べて、撮像部がフレームを取得するときに撮像素子の受光面に入り込む光の量を低減させることができ、良好なフレームを取得することができるものである。したがって、本発明を用いれば、動画を良好に表示することができる。
【０１８９】
また、本発明は、フレーム取得状態のときにおける画素部の開口率を、フレーム表示状態のときにおける画素部の開口率よりも小さく制御するので、従来の方法に比べて、撮像部がフレームを取得するときに撮像素子の受光面に入り込む外光の量を低減させることができ、より良好なフレームを取得することができるものである。したがって、本発明を用いれば、動画をより良好に表示することができる。
【０１９０】
なお、本発明に係る液晶表示装置は、撮像部と液晶表示パネルとを一体構造にすることができ、これにより製造コストダウンのメリットを獲得できる。また、以上説明したような制御を行なうために、撮像部が画像を取得する際、液晶表示パネルの透明基板から撮像素子に回り込む光源の影響を低減でき、撮像される画像が白っぽくなるのを抑制することができる。また、撮像部が画像を取得する際、光源が液晶表示パネルに付着した微小なダスト等により乱反射して撮像素子に回り込むことも抑制できる。したがって、微小なダスト等が画像に写り込むことがないため、高い品質の画像を取得することができる。また、製造工程において、ダストを管理するレベルを高くする必要がないので、ダストの予防に関する対策への膨大な費用が発生しないため、上述した製造コストダウンのメリットをそのまま活かすことができる。
【０１９１】
なお、本実施の形態では、一つの制御部３０が、本発明に係る制御方法の制御対象である液晶表示装置が備える、出力制御手段、開口率制御手段、タイミング制御手段、画像取得表示時間制御手段、画像取得時間制御手段、画像表示時間制御手段および画像表示回数制御手段として作用する場合について説明したが、出力制御手段、開口率制御手段、タイミング制御手段、画像取得表示時間制御手段、画像取得時間制御手段、画像表示時間制御手段および画像表示回数制御手段は、それぞれ、別体の制御部によって構成してもよい。
【０１９２】
〔第２実施形態〕
本発明に係る液晶表示装置の他の実施形態について、図４を参照して以下に説明する。図４は、第２実施形態に係る液晶表示装置における液晶表示ユニットを側面から見た図である。
【０１９３】
本実施形態に係る液晶表示装置は、液晶表示ユニット１００において、ＬＥＤ２及び導光板４がない点、及び面状光源（光源）８を具備している点のみが、第１実施形態における液晶表示装置とは異なっており、それ以外の点は同様に構成されている。そこで、ここでは、第１実施形態と異なっている点のみ説明し、同じ構成部材には同じ部材番号を付して説明を省略する。
【０１９４】
本実施形態では、透明基板１の面１２上に面状光源８が設けられており、面状光源８は、液晶表示パネルのバックライトとして機能する。面状光源８から放射された光は、液晶表示パネル全面に概ね均一に照射される。
【０１９５】
面状光源８の光が放射される領域は、図４に破線により示した光放射領域界面２３よりも下側となる。
【０１９６】
光放射領域界面２３に示されるように、面状光源８の光は広がりながら進むので、撮像部における撮像素子５とレンズ３との間の透明基板１にも入り込み、その結果撮像素子５の受光面に入り込むことがある。また、特に日光の下などで使用した場合には、透明基板１に強い外光が照射されるので、この外光が撮像素子５の受光面に入り込むことがある。
【０１９７】
本実施形態において、図示しない制御部３０は、第１実施形態と同様に液晶表示ユニット１００を制御する。
【０１９８】
本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１９９】
本発明は、撮像部と液晶表示パネルとを一体化させた液晶表示装置において、良好な画像を取得することができる制御方法を提供できるので、撮像機能を具備する液晶表示装置の製造に好適に利用できる。
【符号の説明】
【０２００】
１  透明基板
２  ＬＥＤ（光源）
３  レンズ
５  撮像素子
６  透明基板
７  液晶
８  面状光源（光源）
３０  制御部（出力制御手段、開口率制御手段、タイミング制御手段、画像取得表示時間制御手段、画像取得時間制御手段、画像表示時間制御手段、画像表示回数制御手段）
１００  液晶表示ユニット
【図１】
2010259016.tif 000003
【図２】
2010259016.tif 000004
【図３】
2010259016.tif 000005
【図４】
2010259016.tif 000006
【図５】
2010259016.tif 000007
【図６】
2010259016.tif 000008
【図７】
2010259016.tif 000009
【図８】
2010259016.tif 000010
【図９】
2010259016.tif 000011
【図１０】
2010259016.tif 000012
【図１１】
2010259016.tif 000013
【図１２】
2010259016.tif 000014
【図１３】
2010259016.tif 000015
【図１４】
2010259016.tif 000016
【図１５】
2010259016.tif 000017
【図１６】
2010259016.tif 000018
【図１７】
2010259016.tif 000019
【図１８】
2010259016.tif 000020
【図１９】
2010259016.tif 000021
【図２０】
2010259016.tif 000022
【図２１】
2010259016.tif 000023
【図２２】
2010259016.tif 000024